(57)【要約】【課題】  動画撮影中に静止画を撮影する場合に、素早く静止画撮影を行うことができ、かつ動画の連続性を優先して撮像できる撮像装置を提供する。【解決手段】  動画撮影中に静止画を撮影する指示があった場合は、ミラーユニットにより光束の一部を撮像素子に透過すると共に残りの光束を所定のユニットに反射する第一の状態のまま静止画撮影を行い、それ以外の場合に静止画を撮影する指示があった場合は、駆動手段により第一の状態から、ミラーユニットで反射および透過することなく光束の全てを撮像素子に導く第二の状態に駆動した後、静止画撮影を行う。【選択図】  図４
2006270183.tif 000002
【特許請求の範囲】
【請求項１】
撮像レンズからの光束により形成された被写体像を光電変換する撮像素子と、
少なくとも一部の領域がハーフミラーで構成されるミラーユニットと、
前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、
動画を撮影するための動画撮影モードと、静止画を撮影するための静止画撮影モードと、
前記動画撮影モードにおいて動画撮影中に静止画を撮影する指示があった場合は前記第一の状態のまま静止画撮影を行い、前記静止画撮影モードにおいて静止画を撮影する指示があった場合は前記駆動手段により前記第一の状態から前記第二の状態に駆動した後に静止画撮影を行う制御手段と、
を有する撮像装置。
【請求項２】
撮像レンズからの光束により形成された被写体像を光電変換する撮像素子と、
少なくとも一部の領域がハーフミラーで構成されるミラーユニットと、
前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、
動画撮影中に静止画を撮影する指示があった場合は前記第一の状態のまま静止画撮影を行い、動画撮影を行っていない時に静止画を撮影する指示があった場合は前記駆動手段により前記第一の状態から前記第二の状態に駆動した後に静止画撮影を行う制御手段と、
を有する撮像装置。
【請求項３】
前記所定のユニットは、ＡＦユニットであることを特徴とする請求項１又は２に記載の撮像装置。
【請求項４】
前記所定のユニットは、ＡＥユニットであることを特徴とする請求項１又は２に記載の撮像装置。
【請求項５】
前記所定のユニットは、光学ファインダーであることを特徴とする請求項１又は２に記載の撮像装置。
【請求項６】
前記動画撮影モードにおいて静止画撮影を行う場合に、撮影する静止画の画質を優先する静止画優先モードと、撮影中の動画の連続性を優先する動画優先モードが設定可能であって、前記静止画優先モード設定時には前記駆動手段により前記第一の状態から前記第二の状態に駆動した後に静止画撮影を行うことを特徴とする、請求項１に記載の撮像装置。
【請求項７】
前記撮像装置は更にバッテリー残量検出手段を有し、前記第一の状態において前記バッテリー残量検出手段により、バッテリー残量が所定値以下と判断された場合は、前記駆動手段を駆動することなく静止画撮影を行うことを特徴とする、請求項１又は２にに記載の撮像装置。
【請求項８】
前記撮像装置は更にストロボを有し、動画撮影中に前記第一の状態のまま静止画を撮影する場合、ストロボ発光を許可しない発光制御手段を有することを特徴とする請求項１又は２に記載の撮像装置。
【請求項９】
前記撮像装置は更に、前記第一の状態でレリーズする時と前記第二の状態でレリーズする時とで異なる、前記ミラーユニットの有無によって生じる光路長差を考慮して、前記ＡＦユニットによって検出される焦点評価値を補正する焦点補正手段を有することを特徴とする請求項３に記載の撮像装置。
【請求項１０】
撮像レンズからの光束により形成された被写体像を光電変換する撮像素子と、
少なくとも一部の領域がハーフミラーであるメインミラーユニットと、全反射のミラーからなるサブミラーユニットと、
前記被写体像を観察するための光学ファインダーと、
前記撮影レンズの結像状態を位相差方式により検出するためのＡＦユニットと、
前記光束から前記サブミラーユニットを退避させ、前記光束の一部を前記メインミラーユニットにて前記ＡＦユニットに反射し、透過した残りの光束を前記撮像素子に導く第一の状態と、
前記メインミラーユニット及び前記サブミラーユニットで反射、透過させることなく、前記光束の全てを前記撮像素子に導く第二の状態と、前記光束の一部を前記メインミラーユニットにて前記光学ファインダーに反射し、透過した残りの光束は前記サブミラーユニットにて反射して前記ＡＦユニットに導く第三の状態と、の間を相互に前記メインミラーユニット及び前記サブミラーユニットを切替える駆動手段と、
前記第一の状態で行われる前記撮像素子上の被写体信号を、表示手段に電子画像表示する電子ファインダーと、
動画を撮影するための動画撮影モードと、静止画を撮影するための静止画撮影モードと、
前記第一の状態で行われる前記動画撮影モードにおいて、動画撮影中に静止画を撮影する指示があった場合は前記第一の状態のまま静止画撮影を行い、前記静止画撮影モードにおいて静止画を撮影する指示があった場合は前記駆動手段により前記第一の状態もしくは前記第三の状態から前記第二の状態に駆動した後、静止画撮影を行う制御手段と、
を有する撮像装置。
【請求項１１】
前記動画撮影モードにおいて静止画撮影を行う場合に、撮影する静止画の画質を優先する静止画優先モードと、撮影中の動画の連続性を優先する動画優先モードが設定可能であって、前記静止画優先モード設定時には前記駆動手段により前記第一の状態から前記第二の状態に駆動した後に静止画撮影を行うことを特徴とする請求項１０に記載の撮像装置。
【請求項１２】
前記撮像装置は更にバッテリー残量検出手段を有し、前記第一の状態において前記バッテリー残量検出手段により、バッテリー残量が所定値以下と判断された場合は、前記駆動手段を駆動することなく静止画撮影を行うことを特徴とする請求項１０に記載の撮像装置。
【請求項１３】
前記撮像装置は更にストロボを有し、動画撮影中に前記第一の状態のまま静止画を撮影する場合は、ストロボ発光を許可しない発光制御手段を有することを特徴とする請求項１０に記載の撮像装置。
【請求項１４】
前記撮像装置は更に、前記第一の状態でレリーズする時と前記第二の状態でレリーズする時とで異なる、前記メインミラーユニットの有無によって生じる光路長差を考慮して、前記ＡＦユニットによって検出される焦点評価値を補正する焦点補正手段を有することを特徴とする請求項１０に記載の撮像装置。
【請求項１５】
前記撮像装置は更に、前記静止画撮影モードにおいて、前記メインミラーユニット及び前記サブミラーユニットが前記第一の状態にあるときに、前記電子ファインダーを実行する表示制御手段を有することを特徴とする請求項１０に記載の撮像装置。
【請求項１６】
撮影レンズからの光束により形成された被写体像を光電変換する撮像素子と、少なくとも一部の領域がハーフミラーで構成されるミラーユニットとを具備する撮像装置における撮像方法であって、
動画撮影モードもしくは静止画撮影モードに設定するモード設定ステップと、
前記モード設定ステップにより動画撮影モードが設定された場合に、動画撮影が開始された後であって、静止画を撮影する指示がなされた時には、前記ミラーユニットにより前記光束の一部を前記撮像素子に透過すると共に、残りの光束を所定のユニットに反射する第一の状態のまま静止画撮影を行う第一の静止画撮影ステップと、
前記モード設定ステップにより静止画撮影モードが設定された場合に、静止画を撮影する指示がなされた時には、前記第一の状態から、前記ミラーユニットで反射、透過することなく前記光束の全てを前記撮像素子に導く第二の状態に駆動した後、静止画撮影を行う第二の静止画撮影ステップと
を有する撮像方法。
【請求項１７】
撮影レンズからの光束により形成された被写体像を光電変換する撮像素子と、少なくとも一部の領域がハーフミラーで構成されるミラーユニットとを具備する撮像装置における撮像方法であって、
動画撮影が開始された後であって、静止画を撮影する指示がなされた時には、前記ミラーユニットにより前記光束の一部を前記撮像素子に透過すると共に、残りの光束を所定のユニットに反射する第一の状態のまま静止画撮影を行う第一の静止画撮影ステップと、
動画が撮影されていない状態で、静止画を撮影する指示がなされた時には、前記第一の状態から、前記ミラーユニットで反射、透過することなく前記光束の全てを前記撮像素子に導く第二の状態に駆動した後、静止画撮影を行う第二の静止画撮影ステップと
を有する撮像方法。
【請求項１８】
前記動画撮影モードにおいて静止画撮影を行う場合に、撮影する静止画の画質を優先する静止画優先モードと、撮影中の動画の連続性を優先する動画優先モードとのいずれかを設定するモード設定ステップと、
前記モード設定ステップにより静止画優先モードが設定された場合は前記第一の状態から前記第二の状態に駆動した後に、静止画撮影を行う静止画撮影ステップと、
を有することを特徴とする請求項１６に記載の撮像方法。
【請求項１９】
前記撮像装置は更にバッテリー残量検出手段を有し、前記第一の状態において前記バッテリー残量検出手段により、バッテリー残量が所定値以下であるかを判断する判断ステップと
前記判断ステップによりバッテリー残量が所定値以下と判断された場合には、前記第一の状態のまま静止画撮影を行う静止画撮影ステップを有することを特徴とする請求項１６又は１７に記載の撮像方法。
【請求項２０】
前記撮像装置は更にストロボを有し、動画撮影中に前記第一の状態のまま静止画を撮影する場合は、ストロボ発光の禁止を設定する設定ステップを有することを特徴とする請求項１６又は１７に記載の撮像方法。
【請求項２１】
前記所定のユニットはＡＦユニットであって、前記第一の状態でレリーズする時と、前記第二の状態でレリーズする時とで異なる、前記ミラーユニットの有無によって生じる光路長差を考慮して、前記ＡＦユニットによって検出される焦点評価値を補正する補正ステップを有することを特徴とする請求項１６又は１７に記載の撮像方法。
【請求項２２】
撮影レンズからの光束により形成された被写体像を光電変換する撮像素子と、少なくとも一部の領域がハーフミラーであるメインミラーユニットと、全反射のミラーからなるサブミラーユニットと、前記被写体像を観察するための光学ファインダーと、前記撮影レンズの結像状態を位相差方式により検出するためのＡＦユニットとを具備する撮像装置における撮像方法であって、
動画撮影モードもしくは静止画撮影モードに設定するモード設定ステップと、
前記モード設定ステップにより動画撮影モードが設定された場合に、前記光束から前記サブミラーユニットを退避させ、前記光束の一部を前記メインミラーユニットにて前記ＡＦユニットに反射し、透過した残りの光束を前記撮像素子に導く第一の状態で動画撮影が開始された後であって、静止画を撮影する指示があった場合は、前記第一の状態のまま静止画撮影を行う第一の静止画撮影ステップと、
前記モード設定ステップにより静止画撮影モードに設定された場合に、静止画を撮影する指示があった場合は、前記第一の状態、もしくは前記光束の一部を前記メインミラーユニットにて前記光学ファインダーに反射し、透過した残りの光束は前記サブミラーユニットにて反射して前記ＡＦユニットに導く第三の状態から、前記メインミラーユニット及び前記サブミラーユニットで反射、透過させることなく、前記光束の全てを前記撮像素子に導く第二の状態に駆動した後、静止画撮影を行う第二の静止画撮影ステップとを有する撮像方法。
【請求項２３】
前記動画撮影モードにおいて静止画撮影を行う場合に、
撮影する静止画の画質を優先する静止画優先モードと、撮影中の動画の連続性を優先する動画優先モードとのいずれかを設定するモード設定ステップと、
前記モード設定ステップにより静止画優先モードが設定された場合は前記第一の状態から前記第二の状態に駆動した後に、静止画撮影を行う静止画撮影ステップと、
を有することを特徴とする請求項２２に記載の撮像方法。
【請求項２４】
前記撮像装置は更にバッテリー残量検出手段を有し、前記第一の状態において前記バッテリー残量検出手段により、バッテリー残量が所定値以下であるかを判断する判断ステップと
前記判断ステップによりバッテリー残量が所定値以下と判断された場合は、前記第一の状態のまま静止画撮影を行う静止画撮影ステップを有することを特徴とする請求項２２に記載の撮像方法。
【請求項２５】
前記撮像装置は更にストロボを有し、動画撮影中に前記第一の状態のまま静止画を撮影する場合は、ストロボ発光の禁止を設定する設定ステップを有することを特徴とする請求項２２に記載の撮像方法。
【請求項２６】
前記撮像装置は更に、前記第一の状態でレリーズする時と、前記第二の状態でレリーズする時とで異なる、前記メインミラーユニットの有無によって生じる光路長差を考慮して、前期ＡＦユニットによって検出される焦点評価値を補正する補正ステップを有することを特徴とする請求項２２に記載の撮像方法。
【発明の詳細な説明】
【技術分野】
【０００１】
本発明は、動画撮影と静止画撮影が可能な撮像装置に関し、特に、被写体から撮像素子までの光路上にミラーユニットを有する撮像装置に関するものである。
【背景技術】
【０００２】
撮像装置の一つである一眼レフカメラでは、光学ファインダーを用いた物体観測時には、撮影レンズから射出した光束を、撮影レンズに対して像面側に配置された反射ミラーで反射させて、ペンタプリズム等を含む光学ファインダーに導いている。これにより撮影者は撮影レンズで形成された被写体像を正像として見ることができる。この時、反射ミラーは撮影光路上に斜設されている。
【０００３】
一方、被写体像を撮影する場合には、反射ミラーが撮影光路から退避することで撮影レンズからの光束を撮像媒体（フィルムやＣＣＤ等の撮像素子）に到達させる。そして、撮影動作が終了すると、反射ミラーは撮影光路上に斜設される。
【０００４】
また、ペリクルミラーを有する一眼レフカメラでは、被写体像を撮影する場合でもペリクルミラーを撮影光路から退避させず、ペリクルミラーを透過した光束を撮像素子もしくはフィルムに到達させることによって撮影を行うことも可能なカメラもある（例えば特許文献１参照）。特許文献１のカメラでは、ペリクルミラーを撮影光路上から退避して撮影する場合と、退避しないで撮影する場合とを、撮影条件によって使い分けるものであり、ペリクルミラーを撮影光路上から退避させないで撮影することにより、レリーズ中にもファインダーがブラックアウトせず、動作音が静かであるという特徴がある。
【０００５】
また、一眼レフ方式のデジタルカメラには、撮影レンズからの光束をファインダー光学系と焦点検出を行うための位相差検出方式のＡＦユニットに分割する状態と、撮影レンズからの光束を撮像素子と焦点検出を行うための位相差検出方式のＡＦユニットに分割する状態との間で切り替えられるものがある（例えば特許文献２参照）。特許文献２のカメラにおいて、撮影レンズからの光束をファインダー光学系とＡＦユニットに分割する状態では、光学ファインダーを利用して物体像を観測でき、撮影レンズからの光束を撮像素子とＡＦユニットに分割する状態では、撮像素子からの出力による電子ファインダーを利用してカメラ背面に配設されたディスプレイユニットで物体像を観測できる。また、光学ファインダーと電子ファインダーのどちらを設定した場合でも、撮影レンズからの光束の一部を位相差検出方式のＡＦユニットに導くことにより、高速なオートフォーカスを行うことが可能となる。
【特許文献１】特開平８−２５４７５１号公報（段落番号００２５〜００３５、図２、３）
【特許文献２】特開２００４−２６４８３２号公報（段落番号００４２〜００４６）
【発明の開示】
【発明が解決しようとする課題】
【０００６】
近時、一眼レフカメラにおいても動画撮影機能が市場より求められているが、従来の反射ミラーを退避させて撮像を行う一眼レフカメラにおいては、その構造上、動画撮影を行うことは困難であった。そこで上記特許文献２では、位相差方式によるＡＦを実現しつつ動画撮影を可能とすべく、ミラーユニットを３つの状態を取り得るように構成されている。
【０００７】
しかし、最近では、動画を撮影している最中であっても、特定のシーンのみは静止画で記録したいという要望がある。例えば、運動会の徒競走において撮影者が子供を撮影する際に、スタートから動画で撮影を行いつつ、ゴールのシーンのみは静止画で記録し、さらにゴール後のしばらくは動画撮影を続けたいといったシーンが想定される。この場合、上記特許文献２の構成によると、動画撮影の状態と静止画撮影の状態を切り換える必要があるため、切り換えに所定の時間を要し、シャッターチャンスを逃す恐れがあった。
【０００８】
また、上記文献１に記載のペリクルミラーを有する一眼レフカメラにおいては、動画撮影中に静止画を撮影するような、複数の撮影モードを連続的に切り替えて使用するような状況には対応できないといった問題があった。
【０００９】
本発明は、上記問題点に鑑みてなされたものであり、その目的は、静止画撮影においては良好な画質での撮影を実現しつつ、かつ、動画撮影中に静止画撮影の指示がなされても、即座に対応することが可能な撮像装置および撮像方法を提供することである。
【課題を解決するための手段】
【００１０】
上記課題を解決するために、本発明の撮像装置は、一つの観点として、撮像レンズからの光束により形成された被写体像を光電変換する撮像素子と、少なくとも一部の領域がハーフミラーで構成されるミラーユニットと、前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、動画を撮影するための動画撮影モードと、静止画を撮影するための静止画撮影モードと、前記動画撮影モードにおいて動画撮影中に静止画を撮影する指示があった場合は前記第一の状態のまま静止画撮影を行い、前記静止画撮影モードにおいて静止画を撮影する指示があった場合は前記駆動手段により前記第一の状態から前記第二の状態に駆動した後に静止画撮影を行う制御手段とを有することを特徴とする。
【００１１】
また、本発明の撮像装置は別の観点として、撮像レンズからの光束により形成された被写体像を光電変換する撮像素子と、少なくとも一部の領域がハーフミラーで構成されるミラーユニットと、前記ミラーユニットにより、前記光束の一部を前記撮像素子に透過すると共に、残りの光束を所定のユニットに反射する第一の状態と、前記ミラーユニットで反射、透過することなく前記光束の全てを前記撮像素子に導く第二の状態と、に前記ミラーユニットを切替える駆動手段と、動画撮影中に静止画を撮影する指示があった場合は前記第一の状態のまま静止画撮影を行い、動画撮影を行っていない時に静止画を撮影する指示があった場合は前記駆動手段により前記第一の状態から前記第二の状態に駆動した後に静止画撮影を行う制御手段とを有することを特徴とする。
【００１２】
また、本発明の撮像装置は別の観点として、撮像レンズからの光束により形成された被写体像を光電変換する撮像素子と、少なくとも一部の領域がハーフミラーであるメインミラーユニットと、全反射のミラーからなるサブミラーユニットと、前記被写体像を観察するための光学ファインダーと、前記撮影レンズの結像状態を位相差方式により検出するためのＡＦユニットと、前記光束から前記サブミラーユニットを退避させ、前記光束の一部を前記メインミラーユニットにて前記ＡＦユニットに反射し、透過した残りの光束を前記撮像素子に導く第一の状態と、前記メインミラーユニット及び前記サブミラーユニットで反射、透過させることなく、前記光束の全てを前記撮像素子に導く第二の状態と、前記光束の一部を前記メインミラーユニットにて前記光学ファインダーに反射し、透過した残りの光束は前記サブミラーユニットにて反射して前記ＡＦユニットに導く第三の状態との間を相互に前記メインミラーユニット及び前記サブミラーユニットを切替える駆動手段と、前記第一の状態で行われる前記撮像素子上の被写体信号を、表示手段に電子画像表示する電子ファインダーと、動画を撮影するための動画撮影モードと、静止画を撮影するための静止画撮影モードと、前記第一の状態で行われる前記動画撮影モードにおいて、動画撮影中に静止画を撮影する指示があった場合は前記第一の状態のまま静止画撮影を行い、前記静止画撮影モードにおいて静止画を撮影する指示があった場合は前記駆動手段により前記第一の状態もしくは前記第三の状態から前記第二の状態に駆動した後、静止画撮影を行う制御手段とを有することを特徴とする。
【００１３】
また、本発明の撮像方法は一つの観点として、撮影レンズからの光束により形成された被写体像を光電変換する撮像素子と、少なくとも一部の領域がハーフミラーで構成されるミラーユニットとを具備する撮像装置における撮像方法であって、動画撮影モードもしくは静止画撮影モードに設定するモード設定ステップと、前記モード設定ステップにより動画撮影モードが設定された場合に、動画撮影が開始された後であって、静止画を撮影する指示があった場合は、前記ミラーユニットにより前記光束の一部を前記撮像素子に透過すると共に、残りの光束を所定のユニットに反射する第一の状態のまま静止画撮影を行う第一の静止画撮影ステップと、前記モード設定ステップにより静止画撮影モードが設定された場合に、静止画を撮影する指示があった場合は、前記第一の状態から、前記ミラーユニットで反射、透過することなく前記光束の全てを前記撮像素子に導く第二の状態に駆動した後、静止画撮影を行う第二の静止画撮影ステップとを有することを特徴とする。
【００１４】
また、本発明の撮像方法は別の観点として、撮影レンズからの光束により形成された被写体像を光電変換する撮像素子と、少なくとも一部の領域がハーフミラーで構成されるミラーユニットとを具備する撮像装置における撮像方法であって、
動画撮影が開始された後であって、静止画を撮影する指示がなされた時には、前記ミラーユニットにより前記光束の一部を前記撮像素子に透過すると共に、残りの光束を所定のユニットに反射する第一の状態のまま静止画撮影を行う第一の静止画撮影ステップと、動画が撮影されていない状態で、静止画を撮影する指示がなされた時には、前記第一の状態から、前記ミラーユニットで反射、透過することなく前記光束の全てを前記撮像素子に導く第二の状態に駆動した後、静止画撮影を行う第二の静止画撮影ステップとを有することを特徴とする。
【００１５】
また、本発明の撮像方法は別の観点として、撮影レンズからの光束により形成された被写体像を光電変換する撮像素子と、少なくとも一部の領域がハーフミラーであるメインミラーユニットと、全反射のミラーからなるサブミラーユニットと、前記被写体像を観察するための光学ファインダーと、前記撮影レンズの結像状態を位相差方式により検出するためのＡＦユニットとを具備する撮像装置における撮像方法であって、動画撮影モードもしくは静止画撮影モードに設定するモード設定ステップと、前記モード設定ステップにより動画撮影モードが設定された場合に、前記光束から前記サブミラーユニットを退避させ、前記光束の一部を前記メインミラーユニットにて前記ＡＦユニットに反射し、透過した残りの光束を前記撮像素子に導く第一の状態で動画撮影が開始された後であって、静止画を撮影する指示があった場合は、前記第一の状態のまま静止画撮影を行う第一の静止画撮影ステップと、前記モード設定ステップにより静止画撮影モードに設定された場合に、静止画を撮影する指示があった場合は、前記第一の状態、もしくは前記光束の一部を前記メインミラーユニットにて前記光学ファインダーに反射し、透過した残りの光束は前記サブミラーユニットにて反射して前記ＡＦユニットに導く第三の状態から、前記メインミラーユニット及び前記サブミラーユニットで反射、透過させることなく、前記光束の全てを前記撮像素子に導く第二の状態に駆動した後、静止画撮影を行う第二の静止画撮影ステップとを有することを特徴とする。
【発明の効果】
【００１６】
本発明によれば、動画撮影中に静止画を撮影する際、ミラーユニットを駆動することなく露光を行うため、静止画で撮影したい瞬間の一場面を、レリーズタイムラグが短く、すばやく撮影することができ、また撮影中の動画の連続性も優先することができる。一方、静止画撮影モードにおいては、ミラーユニットを撮影光路から退避させて撮影する事によって、より多くの光を撮像素子に導き、メインミラーを撮影光路から退避させない場合に比べて、速いシャッター速度を設定でき、良好な画質での撮影が可能である。
【発明を実施するための最良の形態】
【００１７】
以下、添付図面を参照して本発明の好適な実施の形態について詳しく説明する。
【００１８】
〔第１の実施の形態〕
本発明の第１の実施の形態であるカメラについて、図１から図４を参照しながら説明する。
【００１９】
図１は、本実施の形態であるカメラの概略構成を示す側方視断面図である。本実施の形態のカメラは、ＣＣＤあるいはＣＭＯＳセンサなどの撮像素子を用いた単板式のデジタルカラーカメラであり、撮像素子を連続的又は単発的に駆動して動画像又は静止画像を表す画像信号を得る。ここで、撮像素子は、受光した光を画素毎に電気信号に変換して光量に応じた電荷を蓄積し、この蓄積された電荷を読み出すタイプのエリアセンサである。
【００２０】
図１において、１０１はカメラ本体である。カメラ本体１０１には、焦点距離の異なる複数のレンズ装置１０２が着脱可能であり、レンズ装置を取り換えることにより様々な画角の撮影画面を得ることが可能である。
【００２１】
レンズ装置１０２は不図示の駆動機構を有しており、この駆動機構は結像光学系１０３の一部の要素であるフォーカシングレンズを光軸Ｌ１方向に移動させることにより焦点調節を行わせる。また、レンズ装置１０２内には、光通過口の開口面積を変化させて撮影光束の光量を調節する絞り（後述の１４３）と、この絞りを駆動する駆動機構（不図示）とが配置されている。
【００２２】
１０６はパッケージ１２４に収納された撮像素子である。結像光学系１０３から撮像素子１０６に至る光路中には、撮像素子１０６上に被写体像の必要以上に高い空間周波数成分が伝達されないように入射光束の高周波成分を制限する光学ローパスフィルタ１５６が設けられている。
【００２３】
撮像素子１０６で捉えられた被写体像は、所定の画像処理を経て、ディスプレイユニット１０７上に表示される。ディスプレイユニット１０７は、カメラ本体１０１の背面に取り付けられており、撮影者がディスプレイユニット１０７に表示された画像を直接観察できるようになっている。ここで、ディスプレイユニット１０７は、一般的には液晶パネルによって構成される。撮像素子１０６は、増幅型固体撮像素子の１つであるＣＭＯＳプロセスコンパチブルのセンサ（ＣＭＯＳセンサ）である。ＣＭＯＳセンサは、任意の画素へのランダムアクセスが可能といった特徴を有し、ディスプレイ表示用に間引いた読み出しが容易であって、高い表示レートでリアルタイム表示が行える。撮像素子１０６は、上記特徴を利用し、ディスプレイ画像出力動作、高精彩画像出力動作を行う。
【００２４】
１１１はメインミラーであり、ハーフミラーで構成される。結像光学系１０３からの光束の一部を後述のＡＦユニット１２１に導くとともに、残りの光束を透過させることにより、１つの光路を２つの光路に分割するようになっている。このメインミラー１１１は可動型となっており、撮影光路上（Ｌ１上）に斜設された状態と、撮影光路から退避した状態とを相互に切り替えられる。
【００２５】
１１３はフォーカルプレンシャッター（以下、シャッターと称す）であり、複数枚の遮光羽根で構成される先幕および後幕を有している。このシャッター１１３において、非撮影時には光通過口となるアパーチャを先幕又は後幕で覆うことで撮影光束を遮光しており、撮影時には先幕および後幕がスリットを形成しながら走行することで撮影光束を像面側に通過させる。
【００２６】
１１９は、カメラを起動させるためのメインスイッチである。
【００２７】
１２０は、２段階の押圧操作が可能な静止画撮影用のレリーズボタンであり、半押しで撮影準備動作（焦点調節動作および測光動作等）が開始され、全押しで撮影動作が開始される。本実施の形態の説明中においては、レリーズボタンを半押しした状態をスイッチＳＷ１がＯＮした状態、全押しした状態をスイッチＳＷ２がＯＮした状態と表現する。
【００２８】
１２５は、動画撮影用のトリガーボタンであり、トリガーボタン１２５が押されるたびに、動画記録動作のスタートと停止とをくり返し、その動作の制御状態はディスプレイユニット１０７の表示部に表示される。
【００２９】
１２１はＡＦユニットであり、位相差検出方式により焦点調節状態を検出する。位相差方式による焦点検出については公知の技術であるため、具体的な制御についてはここでは省略する。
【００３０】
上述した構成において、メインミラー１１１は、前述したように可動型となっており、撮像素子１０６およびＡＦユニット１２１に光を導くための第一の光路状態（第一の状態）と、結像光学系１０３からの光をダイレクトに撮像素子１０６で受光させるための第二の光路状態（第二の状態）とからなる２つの状態を選択的にとることができる。
【００３１】
また、本実施の形態のカメラにおいては、撮像素子１０６で受光した映像を連続的に記録する事により、静止画のみならず動画も撮影する事ができ、撮影者は静止画を撮影する静止画撮影モードと動画を撮影する動画撮影モードを選択して使用する事ができる。１２６はこのモードを切り替えるためのモード切り替えスイッチであり、モード切り替えスイッチ１２６が押されるたびに、静止画撮影モードと動画撮影モードが切り替わるようになっている。
【００３２】
図２は、本実施の形態であるカメラの電気的構成を示すブロック図である。このカメラは、撮像系、画像処理系、記録再生系および制御系を有する。まず、被写体像の撮影、記録に関する説明を行う。なお、同図において、図１で説明した要素と同じ要素については同一符号を付す。
【００３３】
撮像系は、結像光学系１０３および撮像素子１０６を含み、画像処理系は、Ａ／Ｄ変換器１３０、ＲＧＢ画像処理回路１３１およびＹＣ処理回路１３２を含む。また、記録再生系は、記録処理回路１３３および再生処理回路１３４を含み、制御系は、カメラ制御回路（制御回路）１３５、操作検出回路１３６および撮像素子駆動回路１３７を含む。なお、操作検出回路１３６においては、モード切り替えスイッチ１２６の状態の検出も行い、静止画撮影モードと動画撮影モードの切り替えを行う。
【００３４】
１３８は、外部のコンピュータ等に接続して、データの送受信を行うための規格化された接続端子である。上記の電気回路は、不図示の二次電池によって駆動される。
【００３５】
撮像系は、物体からの光を結像光学系１０３を介して撮像素子１０６の撮像面に結像する光学処理系であり、レンズ装置１０２内の絞り（光量調節ユニット）１４３と、必要に応じてシャッター１１３における先幕および後幕の走行を調節し、適切な光量の物体光を撮像素子１０６に露光する。
【００３６】
撮像素子１０６は、正方画素が長辺方向に３７００個、短辺方向に２８００個並べられ、合計約１０００万個の画素数を有しており、各画素にＲ（赤色）Ｇ（緑色）Ｂ（青色）  のカラーフィルタを交互に配して４画素が１組となる、いわゆるベイヤー配列を形成している。ベイヤー配列では、撮影者が画像を見たときに強く感じやすいＧの画素をＲやＢの画素よりも多く配置することで、総合的な画像性能を上げている。一般に、この方式の撮像素子１０６を用いる画像処理では、輝度信号は主にＧから生成し、色信号はＲ、Ｇ、Ｂから生成する。
【００３７】
撮像素子１０６から読み出された画像信号は、Ａ／Ｄ変換器１３０を介して画像処理系に供給される。Ａ／Ｄ変換器１３０は、露光した各画素の信号の振幅に応じて、例えば１０ビットのデジタル信号に変換して出力する信号変換回路であり、以降の画像信号処理はデジタル処理にて実行される。画像処理系は、Ｒ、Ｇ、Ｂのデジタル信号から所望の形式の画像信号を得る信号処理系であり、Ｒ、Ｇ、Ｂの色信号を輝度信号Ｙおよび色差信号（Ｒ−Ｙ）、（Ｂ−Ｙ）にて表されるＹＣ信号などに変換する。
【００３８】
ＲＧＢ画像処理回路１３１は、Ａ／Ｄ変換器１３０を介して撮像素子１０６から受けた３７００×２８００画素の画像信号を処理する信号処理回路であり、ホワイトバランス回路、ガンマ補正回路を有する。
【００３９】
ＹＣ処理回路１３２は、輝度信号Ｙおよび色差信号Ｒ−Ｙ、Ｂ−Ｙを生成する信号処理回路である。この処理回路１３２は、高域輝度信号ＹＨを生成する高域輝度信号発生回路、低域輝度信号ＹＬを生成する低域輝度信号発生回路、および色差信号Ｒ−Ｙ、Ｂ−Ｙを生成する色差信号発生回路で構成されている。輝度信号Ｙは、高域輝度信号ＹＨと低域輝度信号ＹＬを合成することによって形成される。
【００４０】
記録再生系は、メモリ（記録媒体、不図示）への画像信号の出力と、ディスプレイユニット１０７への画像信号の出力とを行う処理系である。記録処理回路１３３は、メモリへの画像信号の書き込み処理および読み出し処理を行う。再生処理回路１３４は、メモリから読み出した画像信号を再生して、ディスプレイユニット１０７に出力する。また、記録処理回路１３３は、静止画像および動画像を表すＹＣ信号を所定の圧縮方法（例えば、ＪＰＥＧ圧縮）にて圧縮するとともに、圧縮データを読み出した際に圧縮データを伸張する圧縮伸張回路を有する。圧縮伸張回路は、信号処理のためのフレームメモリなどを含み、このフレームメモリに画像処理系からのＹＣ信号をフレーム毎に蓄積して、それぞれ複数のブロック毎に読み出して圧縮符号化する。圧縮符号化は、例えば、ブロック毎の画像信号を２次元直交変換、正規化およびハフマン符号化することにより行われる。
【００４１】
再生処理回路１３４は、輝度信号Ｙおよび色差信号Ｒ−Ｙ、Ｂ−Ｙをマトリックス変換して、例えばＲＧＢ信号に変換する回路である。再生処理回路１３４によって変換された信号は、ディスプレイユニット１０７に出力され、可視画像が表示（再生）される。再生処理回路１３４およびディスプレイユニット１０７は、Ｂｌｕｅｔｏｏｔｈなどの無線通信回線を介して接続することができ、このように構成すれば、カメラで撮像した画像を離れたところからモニタすることができる。
【００４２】
一方、制御系の一部である操作検出回路１３６は、静止画撮影用のレリーズボタン１２０や動画撮影用のトリガーボタン１２５等の操作を検出する。
【００４３】
また、カメラ制御回路１３５は、操作検出回路１３６の検出信号に応じてメインミラー１１１を含むカメラ内の各部材の駆動を制御し、撮像の際のタイミング信号などを生成して出力する。
【００４４】
撮像素子駆動回路１３７は、カメラ制御回路１３５の制御の下に撮像素子１０６を駆動する駆動信号を生成する。
【００４５】
次に、焦点調節に関する説明を行う。
【００４６】
カメラ制御回路１３５には、ＡＦ制御回路１４０およびレンズ制御回路１４１が接続されている。これらの制御回路は、カメラ制御回路１３５を中心にして各々の処理に必要とするデータを相互に通信している。
【００４７】
ＡＦ制御回路１４０は、ＡＦユニット１２１の信号出力を受けることにより焦点検出信号を生成し、結像光学系１０３の合焦状態（デフォーカス量）を検出する。デフォーカス量が検出されると、このデフォーカス量を結像光学系１０３の一部の要素であるフォーカシングレンズの駆動量に変換し、カメラ制御回路１３５を介してレンズ制御回路１４１に送信する。移動する物体に対しては、レリーズボタン１２０が押圧操作されてから実際の撮像動作が開始されるまでのタイムラグを勘案して、適切なレンズ停止位置を予測した結果に基づいてフォーカシングレンズの駆動量を指示する。レンズ制御回路１４１は、カメラ制御回路１３５から送られたフォーカシングレンズの駆動量を受信すると、レンズ装置１０２内の不図示の駆動機構によってフォーカシングレンズを光軸Ｌ１方向に移動させるなどの動作を行い、焦点調節を行う。ＡＦ制御回路１４０において物体にピントが合ったことが検出されると、この検出情報はカメラ制御回路１３５に伝えられる。このとき、レリーズボタン１２０が押圧操作されていれば、上述したように撮像系、画像処理系、記録再生系により撮像制御が行われる。絞り１４３はレンズ制御回路１４１からの指令に応じて像面側に向かう被写体光の光量を調節する。なお、カメラ制御１３５とレンズ制御回路１４１は、レンズ装置１０２側のマウント部電気接点（通信ユニット）１４４ａおよびカメラ本体１０１側のマウント部電気接点１４４ｂを介して通信が行えるように構成されている。
【００４８】
次に、本実施の形態におけるカメラの取る光路状態を、図３を用いて説明する。
【００４９】
図３（ａ）は、カメラが上述の第一の状態、図３（ｂ）は第二の状態にある場合の、メインミラーの位置と撮影レンズからの光路の状況を模式的に表したものである。なお、図１で説明した要素と同じ要素については同一符号を付す。ここで、Ｂ１は撮影レンズからの光束を表し、Ｂ２はメインミラーでの反射光束を表し、Ｂ３はメインミラーの透過光束を表すこととする。
【００５０】
図３（ａ）はカメラが第一の状態にあるときの図である。メインミラー１１１は、撮影レンズからの光束Ｂ１を受け、その反射光Ｂ２をＡＦユニット１２１に導くとともに、透過光Ｂ３は撮像素子１０６に到達する。この第一の状態においては、撮像素子１０６の出力信号を不図示のディスプレイユニット等に表示することにより、電子ファインダーで被写体像を観測したり、また撮像素子上の被写体信号を連続的に記録することにより、動画撮影を行うことができる。その際、ＡＦユニット１２１により、位相差検出方式による高速な焦点検出が可能である。
【００５１】
次に図３（ｂ）はカメラが第二の状態にあるときの図であり、メインミラー１１１が撮影光路から退避した位置に移動し、撮影レンズからの光束Ｂ１が、そのまま撮像素子１０６に導かれている。実際のミラーの駆動においては、メインミラー１１１には不図示のメインミラー支持アームが取り付けられており、不図示の駆動源からの駆動力をこのメインミラー支持アームによって伝達し、メインミラー１１１の上部にある回転軸１２８を中心に回転させることによって、メインミラー１１１を撮影光路から退避させる。この状態での撮像は、第一の状態に比べて撮像素子に到達する光量が多いため、第一の状態で撮影する場合よりもシャッター速度を速くできたり、また照明ユニットの発光の届く距離が長くできるといった利点があり、高精細な画像を生成することができるため、撮影画像を拡大して大型プリントを行う場合等において好適である。
【００５２】
図４に示すのは、本実施の形態のフローチャートである。
【００５３】
電源がＯＮされカメラが起動すると、まず始めにステップＳ１０１において各種初期設定を読み出し、カメラに適用する。この時ミラーは第一の状態にあり、ステップＳ１０１が終了すると、ステップＳ１０２に進む。
【００５４】
本実施の形態のカメラにおいては、既に説明したように静止画のみならず動画も撮影する事ができるため、撮影者の指示に応じて動画撮影モード、もしくは静止画撮影モードを設定する必要がある。Ｓ１０２はこの設定指示を受け付けるステップであり、モード切り替えスイッチ１２６によって選択されたモードが動画撮影モードであればステップＳ１０３に進み、静止画撮影モードであればステップＳ１０９に進む。なお予め撮影モードが設定されている場合や、初期設定状態としていずれかの撮影モードが定められている場合においては、設定された撮影モードに応じてステップＳ１０３、もしくはステップＳ１０９に進む。
【００５５】
ステップＳ１０３は、動画の撮影開始指示があるまで待機している状態であり、操作検出回路１３６の出力に基づいてトリガーボタン１２５が操作されるのを検出するまで待機し、トリガースイッチがＯＮ状態になることでステップＳ１０４へ進む。
【００５６】
ステップＳ１０４では動画の撮影が開始され、開始後は継続して動画像を撮影記録する。なお、動画像の撮影記録中は、ＡＦユニット１２１による焦点評価値や、撮像素子１０６に到達する映像からの測光演算結果より、結像光学系１０３や絞り１４３を最適に制御する動作を、一定の時間間隔で行う。
【００５７】
ステップＳ１０５では、動画撮影中に、静止画を撮影する指示がある時に備えて待機している状態であり、操作検出回路１３６の出力に基づきレリーズボタン１２０が全押しされる、すなわちＳＷ２がＯＮ状態になると、静止画撮影の指示があったとみなしステップＳ１０６に進む。ステップＳ１０４以降は、一定の時間間隔で測距、測光結果を反映した制御がなされているため、常に合焦、かつ最適露出が維持されている。そのため、ステップＳ１０６においては、特にピントや露出に関する制御を改めて行う必要は無く、ＳＷ１はＯＮ状態になっても特に改めて測距・測光を行うわけではなく、ＳＷ２がＯＮ状態になると第一の状態のまま静止画撮影を行う。ＳＷ２がＯＮ状態にならない場合はステップＳ１０７に進む。
【００５８】
ここで、動画撮影中に静止画撮影を行う方法の例について説明する。まずその処理の手順についてであるが、動画の撮影を中断し、静止画撮影を行い、その後動画の撮影を再開するという流れである。しかし、このままの処理を行うと、記録される動画像のデータが静止画撮影の前後で二つのデータに分割されてしまい、データの管理、再生等の上で連続性が損なわれてしまう。そのため、静止画撮影によって動画撮影が中断されている間に関しては、動画撮影を中断する直前の動画フレームを連続して使用することにより、静止画撮影の前後で動画像のデータが分割される事無く、連続性を考慮した動画撮影を行うことができる。具体的には、動画撮影中にＳＷ２がＯＮ状態になると、バッファメモリ（不図示）に蓄積する動画のフレームデータを、撮影により採取されるフレームデータから、ＳＷ２がＯＮ状態になる直前のフレームデータのコピーに切り替える。その後、静止画撮影を行い、バッファメモリ上で静止画ファイルを生成し、メモリーカードなどの記録媒体（不図示）に書き込む。記録媒体への書き込みが終了した時点で、次の動画フレーム周期の到来を待ち、到来した瞬間からバッファメモリに蓄積する動画のフレームデータを、撮影により採取されるフレームデータに戻し、通常の動画撮影を再開する。動画撮影終了指示があるまではこの動作を繰り返し（動画撮影終了指示については後述）、指示があったらそれまでにバッファメモリに蓄積されている、前述したＳＷ２がＯＮ状態になる直前のフレームデータを含む動画データを用いて動画ファイルを生成し、メモリーカードなどの記憶媒体へ書き込みを行う。
【００５９】
ステップＳ１０７では、操作出力検出回路１３６の出力に基づき、トリガーボタン１２５が押される、すなわちトリガースイッチがＯＦＦされるまで待機するステップである。これによって動画撮影終了指示があったと判断し、ステップＳ１０８に進んで動画撮影を終了する。トリガースイッチがＯＦＦされない場合は、動画撮影を続行し、ステップＳ１０５に戻る。
【００６０】
次に静止画撮影モードが選択された場合であるステップＳ１０９について説明する。ステップＳ１０９では、操作検出回路１３６の出力により、ＳＷ１がＯＮされるまで待機するステップであり、ＯＮされたことに応じてステップＳ１１０に進み、撮像素子１０６による測光動作、ＡＦユニット１２１による焦点調節動作を行う。
【００６１】
ステップＳ１１１では静止画撮影指示であるＳＷ２がＯＮされる動作を検知するまで待機するステップである。ステップＳ１１１で撮影指示が無い場合には、ステップＳ１０９に戻る。ＳＷ２がＯＮされるとステップＳ１１２に進む。
【００６２】
ステップＳ１１２においては、ピント補正モードを適用する。このピント補正モードとは、結像光学系１０３を通してカメラ内に入射した光束の光路長が、撮影光路中のメインミラー１１１の有無によって変化してしまうため、これによるピントのズレを補正するモードである。具体的には撮影光路にメインミラー１１１が存在する第一の状態と、撮影光路にメインミラー１１１が存在しない第二の状態での位相差をあらかじめ記憶しておき、ミラーが第二の状態に駆動する場合はあらかじめこの差を含めた合焦動作、すなわち結像光学系１０３の駆動を行うことによって、第一、第二のいずれの状態においても、最適なピントを得ることができるようになるモードである。ステップＳ１１２でピント補正モードを適用した後は、ステップＳ１１３に進む。
【００６３】
ステップＳ１１３においては、メインミラー１１１を第二の状態に駆動し、静止画を撮影、ステップＳ１１４に進む。
【００６４】
ステップＳ１１４ではメインミラー１１１を元の第一の状態に駆動するステップであるが、これに伴う撮影光路長の変化に対応するため、ステップＳ１１２で適用したピント補正モードを停止してから、ミラーを第一の状態に駆動し、撮影動作を終了する。
【００６５】
本実施の形態によれば、動画撮影中において静止画を撮影する場合は、メインミラー１１１を撮影光路中から退避させる事なく静止画撮影を行うため、静止画で撮影したい瞬間の一場面を、レリーズタイムラグが少なく、すばやく撮影することができ、また静止画撮影の前後に渡って動画像を記録することができるため、静止画撮影中の動画の連続性も優先した撮像装置を提供することができる。
【００６６】
上述した実施の形態においては、撮影レンズからの光束を、ハーフミラーであるメインミラー１１１にて二つの光束に分け、透過した光束を撮像素子に導く一方、反射した光束を、位相差方式により焦点検出を行うＡＦユニット１２１に導くカメラについて説明したが、メインミラー１１１にて反射した光束を、ＡＦユニット１２１ではなく、ファインダー光学系１０８や、測光を行うＡＥユニットとするカメラにおいても、本発明を適用する事ができる。ここでＡＦユニット１２１の代わりにファインダー光学系１０８を搭載したカメラにおいては、光学ファインダーを用いた被写体像の観測を行うことができるため、ディスプレイユニット１０７が見にくいような、周囲が明るい状況下での被写体像のクリアな観測が可能となり、また光学ファインダーを用いる場合は、ディスプレイユニットの表示を禁止することにより、バッテリーの消費電力を抑えることができる。その際、カメラのオートフォーカスに関しては、撮像素子１０６で捕らえた画像のコントラストを利用して行う、コントラスト検出方式を用いることで可能となる。また、ＡＦユニットの代わりにＡＥユニットを搭載したカメラにおいては、撮像素子１０６で測光を行う場合に比べて高速な測光が可能となり、またオートフォーカスに関してはコントラスト検出方式を用いることで可能である。
【００６７】
〔第２の実施の形態〕
本発明の第２の実施の形態であるカメラについて、図５〜図８を参照しながら説明する。
【００６８】
図５は、本実施の形態であるカメラの概略構成を示す側方視断面図である。図１にて既に説明した要素については、ここでは説明を省き、また同じ符号を付すこととする。
【００６９】
１０５は、被写体像の予定結像面に配置されたフォーカシングスクリーンである。１１２はペンタプリズムであり、メインミラー１１１からの光束を複数回反射（正立像に変換）させて接眼レンズ１０９に導く。接眼レンズ１０９は、フォーカシングスクリーン１０５上に形成された被写体像を観察するためのレンズであり、実際には３枚程度のレンズで構成されている。フォーカシングスクリーン１０５、ペンタプリズム１１２、接眼レンズ１０９はファインダー光学系１０８を構成する。なお、１２８はＡＥユニットであり、測光を行う際に使用する。
【００７０】
メインミラー１１１（第一のミラー）の背後（撮像素子１０６側）には、可動型のサブミラー（第二のミラー）１２２が設けられており、メインミラー１１１を透過した光束のうち光軸Ｌ１近傍の光束をＡＦユニット１２１に向けて反射させている。サブミラー１２２はメインミラー１１１の動きに連動し、後述する第一の光路状態および第二の光路状態においては、メインミラー１１１およびサブミラー１２２を保持するミラーボックスの下部に収納される。
【００７１】
１０４は物体に照明光を照射する可動式のストロボであり、使用時にはカメラ本体１０１から突出し、不使用時にはカメラ本体１０１内に収納される。
【００７２】
１２３はファインダモード切り換えスイッチであり、このスイッチ１２３の操作により光学ファインダーモード（ＯＶＦモード）および電子ファインダーモード（ＥＶＦモード）の設定を切り換えることができる。ここで、ＯＶＦモードでは、ファインダー光学系１０８を介して被写体像を観察することができ、ＥＶＦモードでは、ディスプレイユニット１０７を介して被写体像を観察することができる。
【００７３】
１８０は光学ファインダー内情報表示ユニット（情報表示ユニット）であり、フォーカシングスクリーン１０５上に所定の情報（例えば、撮影情報）を表示させる。これにより、撮影者は、接眼レンズ１０９を覗くことで被写体像とともに所定の情報を観察することができる。
【００７４】
上述した構成において、メインミラー１１１およびサブミラー１２２は、後述するように撮像素子１０６およびＡＦユニット１２１に光を導くための第一の光路状態（第一の状態）と、結像光学系１０３からの光をダイレクトに撮像素子１０６で受光させるための第二の光路状態（第二の状態）と、ファインダー光学系およびＡＦユニット１２１に光を導くための第三の光路状態（第三の状態）とからなる３つの状態を選択的にとることができる。
【００７５】
上述した３通りの光路状態を高速で切り換えるために、メインミラー１１１は透明樹脂で構成され、軽量化が図られている。
【００７６】
不図示の電磁モータとギア列からなるミラー駆動機構は、メインミラー１１１およびサブミラー１２２の位置を変化させることにより、光路状態を、第一の光路状態、第二の光路状態および第三の光路状態で切り換える。第一の光路状態における撮像では、後述するようにメインミラー１１１およびサブミラー１２２が所定位置に保持されたままであり、ミラー駆動機構を作動させる必要がないため、画像信号処理を高速化させることで高速連続撮影を行うことができる。また、ディスプレイユニット１０７に画像が表示されているときでも、ＡＦユニット１２１を利用した位相差方式による焦点調節を行うことができる。
【００７７】
本実施の形態のカメラの電気的構成を示すブロック図を図６に示す。第１の実施の形態のブロック図である図２と共通の要素については、同一符号を付し、説明を省略する。
【００７８】
情報表示回路１４２は、光学ファインダ内情報表示ユニット１８０の駆動を制御し、カメラ制御回路１３５はファインダ内情報表示回路１４２によって光学ファインダー内に表示される情報における各セグメントの状態を制御する。１３６の操作検出回路は、図２における機能に加え、ユーザーが、動画の連続性を優先して撮影する動画優先モードか、静止画の画質を優先する静止画優先モードかのいずれを設定しているかについても検出する。
【００７９】
また、カメラ内の電気回路を駆動するバッテリーの残量は、バッテリー残量検出回路１４５によって、モニタできる構成となっている。
【００８０】
さらにＡＥ制御回路１２７は、ＡＥユニット１２８の出力を受けて、測光動作を行う。
【００８１】
ストロボ１４６は、測光動作の結果により必要に応じて撮影時に発光し、その制御は発光制御回路１４７にて行われる。
【００８２】
次に、図７を用いて、ミラー駆動機構と、各光路状態について説明する。図７（ａ）はカメラが上述の第一の状態にある場合の、図７（ｂ）は第二の状態にある場合の、図７（ｃ）は第三の状態にある場合の、メインミラーおよびサブミラーの位置と撮影レンズからの光束の状況を模式的に表したものである。なお、図１で説明した要素と同じ要素については同一符号を付す。ここで、Ｂ４はサブミラーの反射光束とする。
【００８３】
図７（ａ）はカメラが第一の状態にあるときの図である。図３（ａ）とはＡＦユニット１２１の位置が異なり、メインミラー１１１の反射光Ｂ２をＡＦユニットに導き、透過光Ｂ３を撮像素子に導く点では同じである。なお、サブミラー１２２は撮影光路から完全に退避した状態となっている。図３（ａ）と同様、この第一の状態においては、被写体像の観測には電子ファインダーを利用することとなり、高速連続撮影や動画撮影を行うことができる。また、その際、ＡＦユニット１２１により、位相差検出方式による高速な焦点検出が可能である。
【００８４】
次に図７（ｂ）はカメラが第二の状態にあるときの図であり、図３（ｂ）とはサブミラー１２２の有無が異なっている。しかしサブミラー１２２もメインミラー１１１と同様に撮影光路から退避した位置に移動しており、撮影レンズからの光束Ｂ１が、そのまま撮像素子１０６に導かれている点では図３（ｂ）と同様である。
【００８５】
最後に図７（ｃ）はカメラが第三の状態にあるときの図であり、撮影レンズからの光束Ｂ１の一部はメインミラー１１１で反射され、光束Ｂ２となってファインダー光学系１０８に導かれる。一方、メインミラー１１１を透過した光束Ｂ３は、メインミラー１１１の後ろに設置されたサブミラー１２２によって反射され光束Ｂ４となり、ＡＦユニット１２１へと導かれる。これにより第三の状態では、ファインダー光学系１０８を利用して被写体を観測できるとともに、ＡＦユニット１２１により高速な焦点検出を行うことができる。
【００８６】
なお、ミラーの駆動に関するメカ的な機構に関しては、特許文献２で公知であるため、ここでは省略する。
【００８７】
次に、本実施の形態のカメラにおける撮影シーケンスについて、図８を用いて説明する。
【００８８】
電源がＯＮされカメラが起動すると、まず始めにステップＳ１において各種初期設定を読み出し、カメラに適用することを行う。ステップＳ１が終了すると、ステップＳ２に進む。
【００８９】
ステップＳ２では、使用するファインダーを撮影者の指示によって設定する。すなわちステップＳ２はファインダーモード設定受け付けステップであり、電子ファインダーモードが設定された場合にはステップＳ３に進み、光学ファインダーモードが設定された場合にはステップＳ２３に進む。なお予めファインダーモードが設定されている場合や、初期設定状態としていずれかのファインダーモードが定められている場合においては、設定されたファインダーモードに応じてステップＳ３、もしくはステップＳ２３に進む。
【００９０】
ステップＳ３では電子ファインダーモードを実現するため、前述の第一の状態にメインミラー１１１、及びサブミラー１２２が移動し、ディスプレイユニット１０７に被写体像や所定の情報が表示された後、ステップＳ４に進む。
【００９１】
ステップＳ４は、撮影者の指示に応じて動画撮影モード、もしくは静止画撮影モードの設定を受け付けるステップであり、第１の実施の形態で説明した図４、ステップＳ１０２と同様である。動画撮影モードが設定された場合はステップＳ５に進み、静止画撮影モードが設定された場合はステップＳ１７に進む。
【００９２】
ステップＳ５は、動画の撮影開始指示があるまで待機している状態であり、操作検出回路１３６の出力に基づいてトリガーボタン１２５が操作されるのを検出するまで待機し、トリガースイッチがＯＮ状態になることでステップＳ６へ進む。
【００９３】
ステップＳ６では動画の撮影が開始され、動画撮影開始後は継続して動画像を撮影、記録する。動画撮影が開始されると、ステップＳ７に進む。
【００９４】
ステップＳ７では、動画撮影中に、静止画を撮影する指示がある時に備えて待機している状態であり、操作検出回路１３６の出力に基づきレリーズボタン１２０が全押しされる、すなわちＳＷ２がＯＮ状態になると、静止画撮影の指示があったとみなしステップＳ８に進み、ＳＷ２がＯＮ状態にならない場合はステップＳ１１に進む。
【００９５】
メインミラー１１１およびサブミラー１２２が第一の状態にあって動画撮影中に静止画を撮影する場合においては、メインミラー１１１を駆動せず、第一の状態のまま静止画撮影を行う第一の方法と、メインミラー１１１を撮影光路から退避させる、すなわち第二の状態に駆動した後、静止画撮影を行う第二の方法の二通りがある。しかし、第二の方法では、メインミラー１１１をメカニカルに駆動させる必要があるため、バッテリーの消費が多くなってしまう。そのためバッテリー残量が少ないときでも、バッテリー切れによる失敗なく静止画撮影を行いたい場合は、第一の方法の方が望ましい。ステップＳ８はバッテリー残量に応じて第一の方法と第二の方法を使い分けるためのステップであり、バッテリー残量検出回路１４５の出力に基づき、バッテリー残量が所定値以下の場合は第一の方法で静止画撮影を行うステップＳ９に進み、所定値より多い場合はステップＳ１３に進む。
【００９６】
動画撮影中に静止画を撮影する場合は、静止画撮影時にストロボ１０４を発光させてしまうと、ストロボ１０４の反射光がメインミラー１１１等の影響で複雑にカメラ内部に侵入し、ゴースト等が発生する恐れがある。そのため、メインミラー１１１を駆動させずに静止画撮影する場合においては、ストロボ１０４の発光は禁止する必要がある。ステップＳ９は、そのためのストロボ発光禁止設定を行うステップであり、設定後はステップ１０に進む。。
【００９７】
ステップ１０では第一の状態のまま静止画を撮影する。静止画撮影の詳細については第１の実施の形態、図４のフローチャートのステップＳ１０６と同様である。静止画撮影後はステップＳ１１に進む。
【００９８】
ステップＳ１１では、操作出力検出回路の出力に基づき、トリガーボタン１２５が押される、すなわちトリガースイッチがＯＦＦされるまで待機するステップである。これによって動画撮影終了指示があったと判断し、ステップＳ１２に進んで動画撮影を終了する。トリガースイッチがＯＦＦされない場合は、動画撮影を続行し、ステップＳ７に戻る。
【００９９】
次にステップＳ１３について説明する。第二の方法で静止画撮影をする場合は、動画記録中にメインミラー１１１を駆動するため、メインミラー１１１を駆動しないで撮影する場合に比べて静止画撮影を行うまでに時間を要する。一方、メインミラーを駆動しないで撮影を行う第一の方法で静止画撮影を行う場合は、撮影までの時間が短い反面、撮像素子１０６に到達する光量が少なく、第二の方法に比べて、シャッター速度が遅くなる等の欠点がある。静止画を撮影中は、動画の記録が停止するため、動画の連続性を優先する場合は、静止画の撮影を短時間で行うことができる第一の方法で撮影し、静止画の画質を優先する場合は第二の方法で撮影するのが望ましい。本実施の形態では、ステップＳ８にてバッテリー残量が所定値以下の場合は、ミラーの駆動が必要ないため消費電力が少なくてすむ第一の方法で静止画撮影を行うステップＳ９に進むのに対し、所定値より多い場合は、どちらの方法で撮影するかをユーザーが設定できるようになっている。ステップＳ１３は第一の方法と第二の方法のどちらの方法で静止画撮影を行うのかを設定するステップであり、動画の連続性を優先して撮影する動画優先モードに設定されているか、静止画の画質を優先する静止画優先モードに設定されているかを判断し、動画優先モードに設定されている場合には、ステップＳ９に進み、第一の状態のまま静止画を撮影する（第一の方法で静止画撮影）。一方、静止画優先モードに設定されている場合には、ステップＳ１４に進み、第二の方法で静止画撮影を行うため、ミラーを第二の状態に駆動する。
【０１００】
ステップＳ１５おいては、第二の方法で静止画撮影するのに先立ち、ピント補正モードを適用し、静止画撮影行った後、ステップＳ１６に進む。ピント補正モードについては、第１の実施の形態において説明したものと同様である。
【０１０１】
ステップＳ１６においては、メインミラー１１１およびサブミラー１２２を元の第一の状態に駆動し、これに伴い撮影光路中にメインミラー１１１がある状態に復帰するため、ピント補正モードを停止し、ステップＳ７に戻る。
【０１０２】
次に、静止画撮影モードが設定された場合のステップＳ１７について説明する。
【０１０３】
ステップＳ１７では、操作検出回路１３６の出力により、ＳＷ１がＯＮされるまで待機するステップであり、ＯＮされたことに応じてステップＳ１８に進み、撮像素子１０６による測光動作、ＡＦユニット１２１による焦点調節動作を行う。
【０１０４】
ステップＳ１９では静止画撮影指示、すなわちＳＷ２がＯＮされるまで待機するステップである。静止画撮影指示が無い場合はステップＳ１７に戻り、ＳＷ２がＯＮされるとステップＳ２０にてメインミラー１１１およびサブミラー１２２を第二の状態に駆動し、ステップＳ２１に進む。
【０１０５】
ステップＳ２１では、ステップＳ１５と同様にピント補正モードを適用し、静止画撮影を行う。その後、ステップＳ２２にてメインミラー１１１およびサブミラー１２２を元の第一の状態に駆動し、ピント補正モードを停止して撮影動作が完了する。
【０１０６】
最後に、光学ファインダーモードが設定された場合であるステップＳ２３について説明する。
【０１０７】
ステップＳ２３では、光学ファインダーによる物体観察を可能にするため、撮影レンズからの光束をファインダー光学系１０８と、ＡＦユニット１２１に分ける第三の状態にメインミラー１１１およびサブミラー１２２を駆動し、ステップＳ２４に進む。
【０１０８】
ステップＳ２４からステップＳ２６においては、ステップＳ１７からステップＳ１９と同様であるが、測光動作をＡＥユニット１２８で行う点においてのみ異なる。ステップＳ２６においてＳＷ２がＯＮされるとステップＳ２７に進んでメインミラー１１１およびサブミラー１２２を第二の状態に駆動し、静止画を撮影する。その後はＳ２８に進む。
【０１０９】
ステップＳ２８では、メインミラー１１１およびサブミラー１２２を元の第三の状態に駆動し、撮影動作を終了する。
【０１１０】
本実施の形態によれば、撮影レンズからの光束を、メインミラー１１１にて位相差方式による焦点検出を行うＡＦユニット１２１に反射し、透過した残りの光束を撮像素子に導く第一の状態において、動画撮影中に静止画を撮影する際、メインミラー１１１を撮影光路中から退避させないで静止画撮影を行う第一の方法を用いることによって、動画撮影中に静止画を撮影する際、静止画で撮影したい瞬間の一場面を、レリーズタイムラグが少なく、すばやく撮影することができ、また撮影中の動画の連続性も優先することができる。またバッテリー残量が所定値以下の場合は、自動的に第一の方法を用いて静止画撮影を行うことによって、バッテリー切れにより撮影が失敗する状況を減らすことができる。更には動画の連続性を優先する動画優先モードと、静止画の画質を優先する静止画優先モードを撮影者が設定できるようにしたことによって、メインミラー１１１を撮影光路から退避させないで撮影する第一の方法と、退避させて撮影する第二の方法による静止画撮影を、撮影者の意図を加味した上で使い分けることができる。第一の撮影方法と第二の撮影方法によって違ってきてしまう撮影光路長の差は、予め位相差を求めて記録しておき、この記録された値を焦点評価値に反映させることによって、いずれの撮影方法で撮影を行った場合でも、ピントのあった画像を撮影する事ができる。
【０１１１】
〔その他の実施の形態〕
上述の第１の実施の形態において、動画撮影中に静止画を撮影する場合、第２の実施の形態で説明したような、動画優先モードと静止画優先モードの切り替えや、バッテリー残量に応じてミラーを撮影光路から退避させないで静止画を撮影する第一の方法と、退避させて撮影する第二の方法を使い分け、さらには第一の方法で静止画を撮影する場合はストロボ発光を禁止する設定のような機能を付け加えても良い。
【図面の簡単な説明】
【０１１２】
【図１】第１の実施の形態のカメラの構成を示す概略図
【図２】第１の実施の形態、のカメラの回路構成を示すブロック図
【図３】第１の実施の形態の第一、第二の状態にあるカメラを示す概略図
【図４】第１の実施の形態のカメラの動作を示すフローチャート
【図５】第２の実施の形態のカメラの構成を示す概略図
【図６】第２の実施の形態のカメラの回路構成を示すブロック図
【図７】第２の実施の形態の第一、第二、第三の状態にあるカメラを示す概略図
【図８】第２の実施の形態のカメラの動作を示すフローチャート
【符号の説明】
【０１１３】
１０４  照明ユニット
１０６  撮像素子
１０７  ディスプレイユニット
１０８  ファインダー光学系
１１１  メインミラー
１２０  静止画撮影用レリーズボタン
１２１  ＡＦユニット
１２２  サブミラー
１２５  動画撮影用トリガーボタン
１３６  操作検出回路
１４５  バッテリー残量検出回路
【図１】
2006270183.tif 000003
【図２】
2006270183.tif 000004
【図３】
2006270183.tif 000005
【図４】
2006270183.tif 000006
【図５】
2006270183.tif 000007
【図６】
2006270183.tif 000008
【図７】
2006270183.tif 000009
【図８】
2006270183.tif 000010